(57)【要約】【課題】効率的に車両の消耗品の管理ができる、拡張現実を用いた車両消耗品管理システム、及びその方法の提供。【解決手段】車両内の消耗品の点検及び交換時期情報を貯蔵する消耗品情報貯蔵部と、車両の走行情報に基づいて消耗品の点検及び交換時期情報を更新し、無線通信を介して消耗品情報提供装置に最新の消耗品点検及び交換時期情報を提供する消耗品情報管理部を含む車両消耗品管理装置と、車両内の消耗品の点検及び交換時期情報を受信する無線通信部、拡張現実技術を用いて消耗品の映像上に点検及び交換時期情報が示された拡張現実イメージを作成する拡張現実処理部、拡張現実イメージを示す表示部、車両内の消耗品の点検及び交換時期情報を拡張現実処理部に伝達し、拡張現実イメージを示すように表示部を制御する制御部を含む消耗品情報提供装置を含む。【選択図】図１
2012043396.tif 000002
【特許請求の範囲】
【請求項１】
車両消耗品管理装置、消耗品情報提供装置を含む車両消耗品管理システムにおいて、
前記車両消耗品管理装置は、
車両内の消耗品の点検及び交換時期情報を貯蔵する消耗品情報貯蔵部、及び
車両の走行情報に基づいて車両内の消耗品の点検及び交換時期情報を更新し、無線通信を介して前記消耗品情報提供装置に最新の消耗品点検及び交換時期情報を提供する消耗品情報管理部
を含むことを特徴とする車両消耗品管理システム。
【請求項２】
前記車両消耗品管理装置の消耗品情報管理部は、
前記消耗品情報提供装置から前記無線通信手段を介して消耗品の点検及び交換情報を受信し、消耗品の点検及び交換時期を更新することを特徴とする請求項１に記載の車両消耗品管理システム。
【請求項３】
前記車両消耗品管理装置は、
運転者から要請を受けた消耗品情報を画面に表示し、消耗品の点検及び交換時期を更新するため運転者から消耗品交換情報が直接入力される入出力部をさらに含むことを特徴とする請求項１に記載の車両消耗品管理システム。
【請求項４】
前記無線通信は、
ブルートゥース通信方式又は近距離無線通信（Ｎｅａｒ  Ｆｉｅｌｄ  Ｃｏｍｍｕｎｉｃａｔｉｏｎ）方式であることを特徴とする請求項１に記載の車両消耗品管理システム。
【請求項５】
前記消耗品情報提供装置は、
前記車両消耗品管理装置の消耗品情報管理部から車両内の消耗品の点検及び交換時期情報を受信する無線通信部、
映像で消耗品を認識した後、拡張現実技術を用いて消耗品の映像上に点検及び交換時期情報が示された拡張現実イメージを作成する拡張現実処理部、
前記拡張現実イメージを示す表示部、及び
車両内の消耗品の点検及び交換時期情報を前記拡張現実処理部に伝達し、拡張現実イメージを示すように前記表示部を制御する制御部
を含むことを特徴とする請求項１に記載の車両消耗品管理システム。
【請求項６】
前記消耗品情報提供装置の制御部は、
運転者から入力された車両消耗品の点検及び交換情報を、前記無線通信部を介して前記車両消耗品管理装置に伝送することを特徴とする請求項５に記載の車両消耗品管理システム。
【請求項７】
前記消耗品情報提供装置の無線通信部は、
ブルートゥース通信方式又は近距離無線通信（Ｎｅａｒ  Ｆｉｅｌｄ  Ｃｏｍｍｕｎｉｃａｔｉｏｎ）方式で前記車両消耗品管理装置と通信することを特徴とする請求項５に記載の車両消耗品管理システム。
【請求項８】
前記消耗品管理装置の消耗品情報管理部は、
前記消耗品情報提供装置から無線通信を介して消耗品の点検及び交換情報を受信し、消耗品の点検及び交換時期を更新することを特徴とする請求項５に記載の車両消耗品管理システム。
【請求項９】
前記消耗品管理装置は、
運転者から要請を受けた消耗品情報を画面に表示し、消耗品の点検及び交換時期を更新するため、運転者から当該消耗品交換情報が直接入力される入出力部をさらに含むことを特徴とする請求項５に記載の車両消耗品管理システム。
【請求項１０】
車両内の消耗品の点検及び交換時期情報を貯蔵する段階、
車両の走行情報に基づいて前記消耗品の点検及び交換時期情報を更新する段階、及び
無線通信を介して車両の消耗品情報提供装置に最新の消耗品点検及び交換時期情報を提供する段階
を含むことを特徴とする拡張現実を用いた車両消耗品管理方法。
【請求項１１】
前記車両の消耗品情報提供装置から無線通信を介して消耗品の点検及び交換情報を受信し、消耗品の点検及び交換時期を更新する段階をさらに含むことを特徴とする請求項１０に記載の拡張現実を用いた車両消耗品管理方法。
【請求項１２】
車両消耗品管理装置から前記車両内の消耗品の点検及び交換時期情報を受信する段階、
映像で消耗品を認識した後、拡張現実技術を用いて消耗品の映像上に点検及び交換時期情報が示された拡張現実イメージを作成する段階、及び
前記拡張現実イメージを画面に表示する段階
を含むことを特徴とする拡張現実を用いた車両消耗品管理方法。
【請求項１３】
運転者から入力された車両消耗品の点検及び交換情報を、無線通信を介して前記消耗品情報提供装置に伝送する段階をさらに含むことを特徴とする請求項１２に記載の拡張現実を用いた車両消耗品管理方法。
【発明の詳細な説明】
【技術分野】
【０００１】
本発明は、車両消耗品管理システム及び方法に係り、さらに詳しくは、拡張現実技術を用いて車両内の消耗品の点検及び交換時期を提供する車両消耗品管理システム、及びその方法に関する。
【背景技術】
【０００２】
拡張現実とは、使用者が見る現実世界に、仮想物体を重ねて見せる技術である。現実世界にリアルタイムで付加情報を有する仮想世界を統合させて一つの映像に見せるもので、混合現実（Ｍｉｘｅｄ  Ｒｅａｌｉｔｙ：ＭＲ）ともいう。
【０００３】
現実世界を仮想世界で補完する概念である拡張現実は、コンピュータグラフィックで作られた仮想環境を用いるが、主役は現実環境である。コンピュータグラフィックは、現実環境に必要な情報を追加提供する役割をする。拡張現実は、使用者が見ている実写映像に３次元仮想映像を重ねる（ｏｖｅｒ  ｌａｐ）ことにより、現実環境と仮想環境との区分が曖昧になるようにするものである。
【０００４】
仮想現実技術は、仮想環境に使用者を没入させ、実際環境を見ることはできない。しかし、実際環境と仮想の客体が混合した拡張現実技術は、使用者が実際環境を見ることができるようにし、より良好な現実感と付加情報を提供することができる。例えば、スマートホンカメラで周辺を照らせば、近隣の商店の位置、電話番号などの情報が立体映像で表記される。
【０００５】
現在、このような拡張現実技術を用いたアミューズメントシステムやナビゲーターなど、様々なアプリケーションが提供されているが（特許文献１、特許文献２）、未だ車両の消耗品の点検及び交換時期を管理することや、利用者に車両の消耗品の点検及び交換時期の情報を提供するアプリケーションに利用されていない。
【先行技術文献】
【特許文献】
【０００６】
【特許文献１】特開２０１０−１２３１２８号公報
【特許文献２】ＷＯ２００４／０４８８９５号公報
【発明の概要】
【発明が解決しようとする課題】
【０００７】
本発明の目的は、効率的に車両の消耗品の管理ができる、拡張現実を用いた車両消耗品管理システム、及びその方法を提供することにある。
【課題を解決するための手段】
【０００８】
上記目的を達成するための本発明の車両消耗品管理システムは、車両内の消耗品の点検及び交換時期情報を貯蔵する消耗品情報貯蔵部、及び車両の走行情報に基づいて、車両内の消耗品の点検及び交換時期情報を更新し、無線通信を介して消耗品情報提供装置で最新の消耗品点検及び交換時期情報を提供する消耗品情報管理部を備えた車両消耗品管理装置、及び車両の消耗品情報管理装置から車両内の消耗品の点検及び交換時期情報を受信する無線通信部、映像で消耗品を認識した後、拡張現実技術を用いて消耗品の映像上に点検及び交換時期情報が示された拡張現実イメージを作成する拡張現実処理部、拡張現実イメージを示す表示部、及び車両内の消耗品の点検及び交換時期情報を拡張現実処理部に伝達し、拡張現実イメージを表示するように表示部を制御する制御部を備えた車両の消耗品情報提供装置を含む。
【０００９】
また、上記目的を達成するための本発明の車両消耗品管理方法は、車両内の消耗品の点検及び交換時期情報を貯蔵する段階、車両の走行情報に基づいて消耗品の点検及び交換時期情報を更新する段階、及び無線通信を介して車両の消耗品情報提供装置に最新の消耗品点検及び交換時期情報を提供する段階を含む。
【００１０】
さらに、上記目的を達成するための本発明の車両消耗品管理の他の方法は、車両消耗品管理装置から車両内の消耗品の点検及び交換時期情報を受信する段階、映像で消耗品を認識した後、拡張現実技術を用いて消耗品の映像上に点検及び交換時期情報が示された拡張現実イメージを作成する段階、及び拡張現実イメージを画面に表示する段階を含む。
【発明の効果】
【００１１】
本発明によれば、車両の走行情報に基づいて車両内の消耗品の点検及び交換時期情報を管理し、拡張現実技術を用いて車両内の消耗品の点検及び交換時期を提供することができ、効率的に車両の消耗品を管理することができるようになる。
さらに、本発明によれば、車両の消耗品を効率的に管理することができるので、不要な消耗品交換をすることがなくなり、コストを低減することができる。
【図面の簡単な説明】
【００１２】
【図１】本発明に係る車両消耗品管理システムの一実施形態の構成を示す図である。
【図２】本発明に係る拡張現実イメージの一例示図である。
【図３】本発明に係る車両消耗品管理方法の一実施形態のフローチャートである。
【発明を実施するための最良の形態】
【００１３】
上述した本発明の目的、特徴及び長所は、図を参照しながら詳しく後述されている詳細な説明により明確になるはずであり、それに伴い本発明の属する技術分野で通常の知識を有する者であれば、本発明の技術的思想を容易に実施することができるはずである。また、本発明の好ましい実施形態の説明において、本発明の理解に不要な公知技術の説明は、本発明の要旨を不明確にするため、その詳細な説明を省略する。
【００１４】
以下、図を参照しながら本発明に係る好ましい実施形態を詳しく説明する。
図１は、本発明に係る拡張現実を用いた車両消耗品管理システムの一実施形態の構成を示す図である。
【００１５】
図１に示すように、本発明に係る拡張現実を用いた車両消耗品管理システムは、車両消耗品管理装置（例えば、Ｃｕｂｉｓシステム）１０と消耗品情報提供装置（例えば、携帯端末）２０を含む。
車両消耗品管理装置１０は、車両に搭載され、車両の走行情報に基づいて車両内の消耗品に関する情報（例えば、消耗品の点検及び交換時期）を管理し、消耗品情報提供装置２０により管理している車両内の消耗品に関する情報（以下、車両消耗品情報）を使用者に提供する。
【００１６】
消耗品情報提供装置２０は、車両消耗品管理装置１０から受信した車両消耗品情報を、カメラなどで得られた消耗品の映像上に、拡張現実技術により表示する。
本実施形態の車両消耗品管理システムの構成要素に関しさらに詳しくみれば、車両内の走行情報管理装置と連動して走行情報を獲得する車両消耗品管理装置１０は、第１無線通信部１１、消耗品情報貯蔵部１２、入出力部１３、及び消耗品情報管理部１４を含む。
【００１７】
第１無線通信部１１は、ブルートゥース通信方式又は近距離無線通信（Ｎｅａｒ  Ｆｉｅｌｄ  Ｃｏｍｍｕｎｉｃａｔｉｏｎ）方式を用いて消耗品情報提供装置２０と通信し、消耗品情報管理部１４の制御に従い、消耗品情報貯蔵部１２に貯蔵されている車両消耗品情報を、消耗品情報提供装置２０に伝送し、消耗品情報提供装置２０から車両消耗品の点検及び交換時期を更新するために用いられる消耗品交換情報を受信する。さらに、第１無線通信部１１は、消耗品情報提供装置２０を認証する過程で発生するデータを送受信する。
【００１８】
消耗品情報貯蔵部１２は、一例として下記の表１に示す車両内の消耗品の点検及び交換周期の情報を貯蔵する。ここで、各車両消耗品の点検及び交換時期は、当該消耗品の交換時点での走行距離を基準にカウンティングされる。
例えば、現在の走行距離が０ｋｍの場合、エンジンオイルの点検周期は５，０００ｋｍなので、走行距離が５，０００ｋｍになった時点でエンジンオイルを点検しなければならず、エンジンオイルの交換周期は１０，０００ｋｍなので、走行距離が１０，０００になった時点がエンジンオイルの交換時期となることを示す。
また、現在の走行距離が１５，０００ｋｍになれば、エンジンオイルの点検周期が５，０００ｋｍなので、次の点検時期は２０，０００ｋｍに更新され、エンジンオイルの交換周期は１０，０００ｋｍなので、次の交換時期は２０，０００ｋｍに更新される。
【００１９】
【表１】
2012043396.tif 000003
【００２０】
表１において、車両消耗品の点検周期及び交換周期は、車種により異なり、車両消耗品の種類は一部についてのみ表記した。
【００２１】
入出力部１３は、例えばＡｕｄｉｏ  Ｖｉｄｅｏ  Ｎａｖｉｇａｔｉｏｎ（ＡＶＮ）装置であり、運転者からの要請を受けて消耗品情報を画面に表示し、運転者が消耗品を交換した時に、運転者からの当該消耗品の交換情報の入力を受け、当該消耗品の点検及び交換時期を更新する。
即ち、運転者は、車両消耗品の点検、交換の都度当該情報を入力し、消耗品情報管理部１４をして、車両消耗品の点検時期及び交換時期を最新の情報に更新させる。
【００２２】
消耗品情報管理部１４は、第１無線通信部１１、消耗品情報貯蔵部１２、及び入出力部１３を制御する。そして、車両の走行情報を管理する装置と連動して走行情報を収集し、これに基づいて車両内の消耗品の点検及び交換時期を更新し、更新した情報を入出力部１３を介して運転者に提供する。
さらに、消耗品情報管理部１４は、運転者から入力を受けた消耗品点検及び交換情報を用いて、消耗品情報貯蔵部１２に貯蔵されている当該消耗品の点検及び交換時期を更新する。
【００２３】
例えば、ミッションオイル交換時点の走行距離が３０，０００ｋｍであれば、表１に示したミッションオイルの点検及び交換周期は３０，０００ｋｍなので、ミッションオイルの次の点検時期は６０，０００ｋｍになり、交換時期もまた６０，０００ｋｍに更新する。また、消耗品情報管理部１４は、車両消耗品の点検時期や交換時期が近づいた時に、点検時期や交換時期が迫っているという情報を入出力部１３を介して運転者に提供し、車両消耗品の点検や交換を運転者に促す。
【００２４】
さらに、消耗品情報管理部１４は、ブルートゥース通信又は近距離無線通信を用いて、消耗品情報提供装置２０との通信において認証過程を行い、正規に認証された消耗品情報提供装置２０に、消耗品の点検及び交換時期情報を提供することにより、車両情報が他人に提供されることを防止する。
【００２５】
また、消耗品情報提供装置２０は、第２無線通信部２１、拡張現実処理部２２、制御部２３、表示部２４、及び車両の消耗品映像を獲得するための映像獲得部（カメラ）２５を含む。
【００２６】
第２無線通信部２１は、ブルートゥース通信又は近距離無線通信を用いて車両消耗品管理装置１０と通信するが、認証データを送受信して車両消耗品管理装置１０から車両内の消耗品の点検及び交換時期情報を受信し、消耗品の点検及び交換時期を更新するのに用いられる消耗品点検及び交換情報を、運転者から入力を受けて車両消耗品管理装置１０に伝送する。
【００２７】
拡張現実処理部２２は、映像獲得部２５を介して獲得した映像によって車両消耗品を認識した後、拡張現実技術を用いて、当該車両消耗品の映像上に点検及び交換時期が示された拡張現実イメージを作成する。
図２に拡張現実イメージの一例を示したが、図中の車両消耗品上に楕円形で表示された部分に、点検及び交換時期が表示される。
【００２８】
この時、拡張現実処理部２２は、車両消耗品の種類を認識した後、拡張現実技術を用いて、当該消耗品の位置に点検及び交換時期を直接表示することや、当該消耗品の名称を表示することもできる。
名称を表示する場合、制御部２３は、使用者がタッチパッド機能によって、当該名称をタッチすれば詳細情報としてそれに対応する点検及び交換時期の情報を提供する。
【００２９】
拡張現実処理部２２は、車両消耗品の３次元幾何学的データベースと連動して車両消耗品の種類を把握するが、この３次元幾何学的データベースというのは、事前に３次元スキャナなどを用いて消耗品の３次元幾何学的構造情報及び消耗品の長さ、形態、色相などを入力、貯蔵しておいたデータベースを意味する。
【００３０】
車両消耗品の認識において、エンジンオイル、ミッションオイルなどのオイルの種類のように、それ自体の形状が定まらないものについては、そのオイルを注入する場所の注入口の形状などの映像によって認識する。
また、他の部品等に遮られて映像撮影ができない消耗品については、例えば、ブレーキパッドはタイヤ認識時に共に表示するといったように、映像撮影可能な周辺消耗品の認識時に併せて表示する。
【００３１】
制御部２３は、第２無線通信部２１、拡張現実処理部２２、表示部２４、及び映像獲得部２５を制御する。
制御部２３は、第２無線通信部２１を介して受信した消耗品の点検及び交換時期情報、又は第２無線通信部２１を介して受信し、貯蔵部（図示省略）に貯蔵されている消耗品の点検及び交換周期情報を映像上に表示した、拡張現実イメージを作成するように拡張現実処理部２２を制御する。
【００３２】
表示部２４は、タッチスクリーン機能を有し、拡張現実処理部２２が作成した拡張現実イメージを表示し、使用者がタッチスクリーン機能を介して詳細情報を求める場合にはこれを表示する。
以下、拡張現実処理部２２について詳述する。
【００３３】
拡張現実技術は、一般に広く知られた技術であって、本発明では、例えば、次に述べる方法で、車両内の消耗品の管理情報を運転者に提供する。
拡張現実処理部２２は、並列プロセッサ回路及び追跡機を含み、並列プロセッサ回路は、第１プロセッサ及び第２プロセッサを備える。
【００３４】
並列プロセッサ回路の第１プロセッサは、カメラで撮影した車両消耗品のイメージをプロセッシングし、消耗品のポーズ（ｐｏｓｅ）を明らかにする角などが交差する交点などを示すカメラマーカーなどの座標値、消耗品のイメージを画面に表示するためのプロジェクション行列値、及びカメラの中心と交点などを仮想連結して形成する多角錐の三角形平面などの法線ベクトル値などを計算する。
【００３５】
追跡機は、第１プロセッサで計算したマーカーなどの座標値、プロジェクション行列値及び上記法線ベクトル値などに基づいて、消耗品のポーズ及び位置を追跡して３次元情報データを作成する。
追跡機は、追跡した消耗品のポーズ及び位置と、実際の消耗品のポーズ及び位置との誤差を補正した後、３次元情報データを作成する補正機をさらに備えることができる。
本実施形態において、補正機は、追跡機の外部に位置し、追跡した消耗品のポーズ及び位置情報を受信し、追跡した消耗品と実際の消耗品とのポーズ及び位置の誤差を補正し、３次元情報データを作成する。
【００３６】
並列プロセッサ回路の第２プロセッサは、３次元情報データ及び３次元仮想空間において、消耗品とともに現われるターゲットイメージモデルのバーテックス（ｖｅｒｔｅｘ）データを受信し、受信した３次元情報データ及びバーテックスデータにレンダリング（ｒｅｔｅｒｉｎｇ）操作を行い、消耗品及びターゲットイメージモデルが３次元の仮想イメージに現われる、拡張現実イメージを作成する。
【００３７】
一般に、３次元イメージは、複数の多角形などに分割されているとみ做され、例えば、３次元イメージが複数の三角形などでなっていると仮定すれば、バーテックスは三角形などの頂点を意味し、バーテックスデータはバーテックスの位置及び色相情報となる。
第２プロセッサでは、バーテックスデータを受信してバーテックスを連結する動作を行い、ピクセル（ｐｉｘｅｌ）又はフラグメント（ｆｒａｇｍｅｎｔ）レベルでバーテックスの色相を決定する動作を行うことができる。
【００３８】
この時、制御部２３は、並列プロセッサ回路及び追跡機の動作を制御することができ、例えば、並列プロセッサ回路の動作中には、追跡機の動作を停止させ、追跡機の動作中には、並列プロセッサの動作を停止させることができる。
即ち、制御部２３は、並列プロセッサ回路と追跡機の動作を活性化させることや、非活性化させることができる。
【００３９】
図３は、本発明の拡張現実を用いた車両消耗品管理方法に係る一実施形態のフローチャートである。
車両消耗品管理装置１０は、車両内の消耗品の点検及び交換時期情報を貯蔵する（Ｓ３０１）。即ち、車両消耗品管理装置１０は、車両の走行及び速度などを制御するＥｎｇｉｎｅ  Ｃｏｎｔｒｏｌ  Ｕｎｉｔ（ＥＣＵ）と連動し、車両内の消耗品の点検及び交換時期情報及び車両の走行情報を収集する。
【００４０】
次に、車両消耗品管理装置１０は、車両の走行情報に基づいて消耗品の点検及び交換時期情報を更新し（Ｓ３０２）、無線通信を介して消耗品情報提供装置２０に最新の消耗品点検及び交換時期情報を提供する（Ｓ３０３）。
その後、消耗品情報提供装置２０は、映像で消耗品を認識した後、拡張現実技術を用いて、当該消耗品の映像上に点検及び交換時期情報が示された拡張現実イメージを作成し（Ｓ３０４）、作成した拡張現実イメージを画面に表示する（Ｓ３０５）。
【００４１】
これまで述べてきたように本発明によれば、運転者は、消耗品情報提供装置２０を介して車両内の消耗品の点検及び交換時期を画面で知ることができ、車両の消耗品の管理を容易に行うことができる。
【００４２】
これまで、本発明の拡張現実を用いた車両消耗品管理のための装置による車両消耗品管理について述べてきたが、本発明の車両消耗品管理のための装置は、車両の消耗品よりも耐用期間がさらに長い車両部品の管理にも同様に適用可能であり、以下に、拡張現実を用いた車両部品の管理方法について詳述する。
【００４３】
車両消耗品管理装置１０は、車両に搭載される車両の故障診断システム（例えば、モゼンテレマティクスシステム）と連動して車両部品の故障情報を管理し、消耗品情報提供装置２０と通信して、管理している車両部品の故障情報を伝送する。ここで、車両の故障診断システムは、テレマティクスセンタサーバを含み、車両制御装置と連動して車両を診断する。
【００４４】
車両制御装置は、エンジン作動の全般を制御するエンジン制御機（Ｅｎｇｉｎｅ  Ｃｏｎｔｒｏｌ  Ｕｎｉｔ：ＥＣＵ）、電気モータ作動の全般を制御するモータ制御機（Ｍｏｔｏｒ  Ｃｏｎｔｒｏｌ  Ｕｎｉｔ：ＭＣＵ）、変速器を制御する変速器制御機（Ｔｒａｎｓｍｉｓｓｉｏｎ  Ｃｏｎｔｒｏｌ  Ｕｎｉｔ：ＴＣＵ）、バッテリーの作動を制御するバッテリー管理システム（Ｂａｔｔｅｒｙ  Ｍａｎａｇｅｍｅｎｔ  Ｓｙｓｔｅｍ：ＢＭＳ）、室内温度制御を行うエアコン制御機（Ｆｕｌｌ  Ａｕｔｏ  Ｔｅｍｐｅｒａｔｕｒｅ  Ｃｏｎｔｒｏｌｌｅｒ：ＦＡＴＣ）などを含む。
【００４５】
消耗品情報貯蔵部１２は、車両の部品をエンジン、制動装置、変速器などに大きく分類（大分類）し、各部品をさらに詳細部品に分類（小分類）して、故障情報を管理する。
【００４６】
例えば、エンジン内の燃料遮断バルブに故障が発生した場合、消耗品情報貯蔵部１２は、以下のような情報を貯蔵している。
故障内容に関しては、「現在車両に発生した異常現象は、エンジンと関連しています。エンジンの重要電子部品である燃料遮断バルブの関連配線又は燃料遮断バルブの異常とみられます。始動操作後、燃料を遮断する装置に異常が発生しました。運転者の安全及び車両保護のため、近くのサービスセンタ又は整備協力業者に今すぐ移動し、点検又は整備を依頼してください。」、又はこれを短縮して「現在車両に発生した異常現象は、エンジンの重要電子部品である燃料遮断バルブの関連配線又は燃料遮断バルブの異常とみられます。運転者の安全及び車両保護のため、近くの整備協力業者に今すぐ移動し、点検又は整備を依頼してください。」との情報を貯蔵している。
【００４７】
また、故障原因については、「燃料を遮断する遮断バルブの性能低下及び作動不良であることが推測されます。」との情報を貯蔵している。
さらに、故障部品の役割について、「始動停止時に燃料タンク（ボンベ）とインジェクターとの間の燃料ラインを遮断する装置です。」との情報を貯蔵している。
【００４８】
別な例では、制動装置内のブレーキディスクに異常が発生した場合、以下のような情報を貯蔵している。
故障内容に関しては、「現在車両に発生した異常現象は、車体姿勢制御装置と関連しています。ブレーキ系統の過熱がみられます。計器盤にＴＣＳ警告灯が点灯され、車両の車体姿勢制御装置機能が停止されます。この場合、ＡＢＳブレーキは正常作動するので制動機能に大きな影響はありません。しかし、車体姿勢制御ができないので、走行安定性に影響を与えることがあります。ブレーキ系統の温度が正常温度になると、ＴＣＳ警告灯が消灯し、システムは正常作動に復帰します。もし引き続きＴＣＳ警告灯が点灯したままの場合には、運転者の安全及び車両保護のため、近くのサービスセンタ又は整備協力業者に今すぐ移動し、点検又は整備を依頼してください。」、又はこれを短縮して「現在車両に発生した異常現象は、車体姿勢制御装置と関連しています。計器盤にＴＣＳ警告灯が点灯されます。もし引き続きＴＣＳ警告灯が点灯されたままの場合には、運転者の安全及び車両保護のため、近くのサービスセンタ又は整備協力業者に今すぐ移動し、点検又は整備を依頼してください。」との情報を貯蔵している。
【００４９】
そして、故障原因としては、「ブレーキ装置の過熱又はＡＢＳ及び車体姿勢制御装置の電源供給関連配線の断線、短絡もしくは接触不良であることが推測されます。」との情報を貯蔵している。
さらに、故障部品の役割として、「ＡＢＳ、ＴＣＳ装置を制御する役割をします。」との情報を貯蔵している。
【００５０】
このような故障情報は、車種により異なり、部品の種類についても同様である。
拡張現実処理部２２は、映像で車両部品を認識した後、拡張現実技術を用いて、当該車両部品の映像上に故障情報が示された拡張現実イメージを作成する。例えば、映像でエンジンを認識すると、エンジン内の故障部品のイメージと故障情報を表示する。
【００５１】
この時、拡張現実処理部２２は、車両部品の種類を認識した後、拡張現実技術を用いて当該部品の位置に故障情報を直接表示することや、車両部品の名称を表示することもできる。名称を表示する場合、制御部２３は、使用者がタッチパッド機能によって当該名称をタッチすれば、詳細情報としてそれに対応する故障情報を提供する。
【００５２】
拡張現実処理部２２は、例えば車両部品の３次元幾何学的データベースと連動して車両部品の種類を把握する。ここで、３次元幾何学的データベースは、事前に３次元スキャナなどを用いて部品の３次元幾何学的構造情報、及び部品の長さ、形態、色相などを入力、貯蔵しておいたデータベースを意味する。
【００５３】
さらに、拡張現実処理部２２は、映像で車両を認識した場合、車両の当該位置に故障部品のイメージ及び故障情報を一括して表示することもできる。
制御部２３は、第２無線通信部２１、拡張現実処理部２２、表示部２４、及び映像獲得部２５を制御するが、第２無線通信部２１を介して受信した部品の故障情報、又は第２無線通信部２１を介して受信し貯蔵部（図示省略）に貯蔵されている部品の故障情報を映像上に表示した、拡張現実イメージを作成するように拡張現実処理部２２を制御する。
【００５４】
一方、上述したような本発明の方法は、コンピュータプログラムで作成可能である。そして、上記プログラムを構成するコード及びコードセグメントは、当該分野のコンピュータプログラマにより容易に推論可能である。
さらに、上記作成されたプログラムは、コンピュータが読み取り可能な記録媒体（情報記録媒体）に貯蔵され、コンピュータにより判読され実行されることにより、本発明の方法を具現する。
そして、上記記録媒体は、コンピュータが判読できる全ての形態の記録媒体を含む。
【００５５】
以上、本発明に係る好ましい実施形態を説明したが、本発明は前記実施形態に限定されず、本発明の属する技術範囲を逸脱しない範囲で全ての変更が含まれる。
【符号の説明】
【００５６】
１０：車両消耗品管理装置
１１：第１無線通信部
１２：消耗品情報貯蔵部
１３：入出力部
１４：消耗品情報管理部
２０：消耗品情報提供装置
２１：第２無線通信部
２２：拡張現実処理部
２３：制御部
２４：表示部
２５：映像獲得部
【図１】
2012043396.tif 000004
【図２】
2012043396.tif 000005
【図３】
2012043396.tif 000006